【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
被写体像を光電変換する撮像素子を用いてフレーム画像を取得する撮像制御手段と、
前記撮像制御手段により順次取得されるフレーム画像を表示手段に順次表示させていく画像表示制御手段と、
前記画像表示制御手段により前記表示手段に表示された所定のフレーム画像に対して所定の画像領域を指定する領域指定手段と、
前記領域指定手段により指定された画像領域内の画像を注目画像として選択する注目画像選択手段と、
前記画像表示制御手段により所定の期間中に順次表示されるフレーム画像から、前記注目画像選択手段により選択された注目画像に対応する画像の領域を追従画像領域として検出していく追従画像領域検出手段と、
前記追従画像領域検出手段により検出される各追従画像領域の座標位置を時系列的に蓄積し、前記注目画像の移動履歴として記憶していく移動履歴記憶手段と、
前記撮像制御手段により取得されるフレーム画像を静止画像として所定の記録媒体に記録するとともに、前記移動履歴記憶手段により記憶された前記注目画像の移動履歴を該静止画象に関連付けて記録させる静止画像記録制御手段と
前記記録媒体に記録された静止画像を前記注目画像の移動履歴に基づいて再生表示させる再生表示制御手段と、
を備えたことを特徴とする撮像装置。
【請求項２】
前記再生表示制御手段は、
再生表示させる静止画像に関連付けられている前記注目画像の移動履歴に基づいて該静止画像から複数のトリミング画像を生成し、該生成した各トリミング画像を再生表示させることを特徴とする請求項１記載の撮像装置。
【請求項３】
前記再生表示制御手段は、
前記生成した各トリミング画像を前記注目画像の移動履歴における時系列順に基づいて再生表示させることを特徴とする請求項２記載の撮像装置。
【請求項４】
前記再生表示制御手段は、
前記各トリミング画像のサイズが異なるようにトリミング画像を生成するとともに、該生成した各トリミング画像をトリミング前の前記静止画像と等しい画像サイズに拡大して再生表示させることを特徴とする請求項２又は３記載の撮像装置。
【請求項５】
前記再生表示制御手段は、
新しい時系列に対応するトリミング画像ほど、トリミング画像のサイズがより小さくなるように、または、大きくなるように、トリミング画像を生成することを特徴とする請求項４記載の撮像装置。
【請求項６】
前記再生表示制御手段は、
再生表示させる静止画像に関連付けられている前記注目画像の移動履歴の最後の移動位置に基づいてトリミング画像を生成し、該静止画上に該生成したトリミング画像データを、該移動履歴に基づいて、順次重畳表示させていくことを特徴とする請求項１記載の撮像装置。
【請求項７】
前記再生表示制御手段は、
再生表示させる静止画像に関連付けられている前記注目画像の移動履歴に基づいて、再生表示する該静止画像上に前記注目画像の移動軌跡を重畳表示させる手段を含むことを特徴とする請求項１記載の撮像装置。
【請求項８】
多段階操作可能なシャッタスイッチを備え、
前記領域指定手段は、前記シャッタスイッチの第一段目への切り換えタイミング時に前記画像表示制御手段により表示されているフレーム画像に対して前記所定の画像領域を指定し、
前記追従画像領域検出手段は、前記シャッタスイッチが前記第一段目にある間に前記画像表示制御手段により表示されるフレーム画像から、前記追従画像領域を検出し、
前記静止画像記録制御手段は、前記シャッタスイッチの第１段目から第２段目への切り換えに基づいて前記撮像制御手段により取得されるフレーム画像を静止画像として所定の記録媒体に記録させることを特徴とする請求項１乃至７記載の撮像装置。
【請求項９】
前記移動履歴記憶手段は、
前記シャッタスイッチの操作解除に基づいて前記注目画像の移動履歴をリセットすることを特徴とする請求項８に記載の撮像装置。
【請求項１０】
前記所定の画像領域または前記追従画像領域を示す注目ポイントを前記画像表示制御手段により表示されているフレーム画像上に重畳表示させる注目ポイント表示制御手段を備えたことを特徴とする請求項１乃至９の何れかに記載の撮像装置。
【請求項１１】
前記領域指定手段が指定する画像領域を変更するための変更手段を備えたことを特徴とする請求項１乃至１０の何れかに記載の撮像装置。
【請求項１２】
前記所定の画像領域または前記追従画像領域に対してオートフォーカスを行なうオートフォーカス制御手段を備えたこと特徴とする請求項１乃至１１の何れかに記載の撮像装置。
【請求項１３】
被写体像を光電変換する撮像素子を用いてフレーム画像を取得する撮像制御工程と、
前記撮像制御工程により順次取得されるフレーム画像を表示手段に順次表示さていく画像表示制御工程と、
前記画像表示制御工程により前記表示手段に表示された所定のフレーム画像に対して所定の画像領域を指定する領域指定工程と、
前記領域指定工程により指定された画像領域内の画像を注目画像として選択する注目画像選択工程と、
前記画像表示制御工程により所定の期間中に順次表示されるフレーム画像から、前記注目画像選択工程により選択された注目画像に対応する画像の領域を追従画像領域として検出していく追従画像検出工程と、
前記追従画像領域検出工程により検出される各追従画像領域の座標位置を時系列的に蓄積し、前記注目画像の移動履歴として記憶していく移動履歴記憶工程と、
前記撮像制御工程により取得されるフレーム画像を静止画像として所定の記録媒体に記録するとともに、前記移動履歴記憶工程により記憶された前記注目画像の移動履歴を該静止画象に関連付けて記録させる静止画像記録制御工程と、
前記記録媒体に記録された静止画像を前記注目画像の移動履歴に基づいて再生表示させる再生表示制御工程と、
を備えたことを特徴とする撮像方法。
【請求項１４】
撮影時に動きのあった動被写体を含む撮影対象が撮影された静止画像を再生表示させる際に、当該静止画像と関連付けて記録されている、前記撮影対象が撮影されるまでの間の前記動被写体の移動履歴に基づいて、前記撮影時における前記動被写体の動きを表現させることを特徴とする画像再生方法。
【請求項１５】
被写体像を光電変換する撮像素子を用いてフレーム画像を取得する撮像制御処理と、
前記撮像制御処理により順次取得されるフレーム画像を表示手段に順次表示させていく画像表示制御処理と、
前記画像表示制御処理により前記表示手段に表示された所定のフレーム画像に対して所定の画像領域を指定する領域指定処理と、
前記領域指定処理により指定された画像領域内の画像を注目画像として選択する注目画像選択処理と、
前記画像表示制御処理により所定の期間中に順次表示されるフレーム画像から、前記注目画像選択処理により選択された注目画像に対応する画像の領域を追従画像領域として検出していく追従画像検出処理と、
前記追従画像領域検出処理により検出される各追従画像領域の座標位置を時系列的に蓄積し、前記注目画像の移動履歴として記憶していく移動履歴記憶処理と、
前記撮像制御処理により取得されるフレーム画像を静止画像として所定の記録媒体に記録するとともに、前記移動履歴記憶処理により記憶された前記注目画像の移動履歴を該静止画象に関連付けて記録させる静止画像記録制御処理と、
前記記録媒体に記録された静止画像を前記注目画像の移動履歴に基づいて再生表示させる再生表示制御処理と、
をコンピュータに実行させることを特徴とするプログラム。
【請求項１６】
コンピュータに、撮影時に動きのあった動被写体を含む撮影対象が撮影された静止画像を再生表示させる際に、当該静止画像と関連付けて記録されている、前記撮影対象が撮影されるまでの間の前記動被写体の移動履歴に基づいて、前記撮影時における前記動被写体の動きを表現させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体像を光電変換する撮像素子を用いてフレーム画像を取得する撮像制御手段と、
前記撮像制御手段により順次取得されるフレーム画像を表示手段に順次表示させていく画像表示制御手段と、
前記画像表示制御手段により前記表示手段に表示された所定のフレーム画像に対して所定の画像領域を指定する領域指定手段と、
前記領域指定手段により指定された画像領域内の画像を注目画像として選択する注目画像選択手段と、
前記画像表示制御手段により所定の期間中に順次表示されるフレーム画像から、前記注目画像選択手段により選択された注目画像に対応する画像の領域を追従画像領域として検出していく追従画像領域検出手段と、
前記追従画像領域検出手段により検出される各追従画像領域の座標位置を時系列的に蓄積し、前記注目画像の移動履歴として記憶していく移動履歴記憶手段と、
前記撮像制御手段により取得されるフレーム画像を静止画像として所定の記録媒体に記録するとともに、前記移動履歴記憶手段により記憶された前記注目画像の移動履歴を該静止画象に関連付けて記録させる静止画像記録制御手段と、
前記記録媒体に記録された静止画像を前記注目画像の移動履歴に基づいて再生表示させる再生表示制御手段と、
を備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、例えば、請求項２に記載されているように、前記再生表示制御手段は、
再生表示させる静止画像に関連付けられている前記注目画像の移動履歴に基づいて該静止画像から複数のトリミング画像を生成し、該生成した各トリミング画像を再生表示させるようにしてもよい。
【手続補正５】
【補正対象書類名】明細書
【補正対象項目名】０００９
【補正方法】変更
【補正の内容】
【０００９】
また、例えば、請求項３に記載されているように、前記再生表示制御手段は、
前記生成した各トリミング画像を前記注目画像の移動履歴における時系列順に基づいて再生表示させるようにしてもよい。
【手続補正６】
【補正対象書類名】明細書
【補正対象項目名】００１０
【補正方法】変更
【補正の内容】
【００１０】
また、例えば、請求項４に記載されているように、前記再生表示制御手段は、
前記各トリミング画像のサイズが異なるようにトリミング画像を生成するとともに、該生成した各トリミング画像をトリミング前の前記静止画像と等しい画像サイズに拡大して再生表示させるようにしてもよい。

【手続補正７】
【補正対象書類名】明細書
【補正対象項目名】００１１
【補正方法】変更
【補正の内容】
【００１１】
また、例えば、請求項５に記載されているように、前記再生表示制御手段は、
新しい時系列に対応するトリミング画像ほど、トリミング画像のサイズがより小さくなるように、または、大きくなるように、トリミング画像を生成するようにしてもよい。
【手続補正８】
【補正対象書類名】明細書
【補正対象項目名】００１２
【補正方法】変更
【補正の内容】
【００１２】
また、例えば、請求項６に記載されているように、前記再生表示制御手段は、
再生表示させる静止画像に関連付けられている前記注目画像の移動履歴の最後の移動位置に基づいてトリミング画像を生成し、該静止画上に該生成したトリミング画像データを、該移動履歴に基づいて、順次重畳表示させていくようにしてもよい。
【手続補正９】
【補正対象書類名】明細書
【補正対象項目名】００１３
【補正方法】変更
【補正の内容】
【００１３】
また、例えば、請求項７に記載されているように、前記再生表示制御手段は、
再生表示させる静止画像に関連付けられている前記注目画像の移動履歴に基づいて、再生表示する該静止画像上に前記注目画像の移動軌跡を重畳表示させる手段を含むようにしてもよい。
【手続補正１０】
【補正対象書類名】明細書
【補正対象項目名】００１４
【補正方法】変更
【補正の内容】
【００１４】
また、例えば、請求項８に記載されているように、多段階操作可能なシャッタスイッチを備え、
前記領域指定手段は、前記シャッタスイッチの第一段目への切り換えタイミング時に前記画像表示制御手段により表示されているフレーム画像に対して前記所定の画像領域を指定し、
前記追従画像領域検出手段は、前記シャッタスイッチが前記第一段目にある間に前記画像表示制御手段により表示されるフレーム画像から、前記追従画像領域を検出し、
前記静止画像記録制御手段は、前記シャッタスイッチの第１段目から第２段目への切り換えに基づいて前記撮像制御手段により取得されるフレーム画像を静止画像として所定の記録媒体に記録させるようにしてもよい。
【手続補正１１】
【補正対象書類名】明細書
【補正対象項目名】００１５
【補正方法】変更
【補正の内容】
【００１５】
また、例えば、請求項９に記載されているように、前記移動履歴記憶手段は、
前記シャッタスイッチの操作解除に基づいて前記注目画像の移動履歴をリセットするようにしてもよい。
【手続補正１２】
【補正対象書類名】明細書
【補正対象項目名】００１６
【補正方法】変更
【補正の内容】
【００１６】
また、例えば、請求項１０に記載されているように、前記所定の画像領域または前記追従画像領域を示す注目ポイントを前記画像表示制御手段により表示されているフレーム画像上に重畳表示させる注目ポイント表示制御手段を備えるようにしてもよい。
【手続補正１３】
【補正対象書類名】明細書
【補正対象項目名】００１７
【補正方法】変更
【補正の内容】
【００１７】
また、例えば、請求項１１に記載されているように、前記領域指定手段が指定する画像領域を変更するための変更手段を備えるようにしてもよい。
【手続補正１４】
【補正対象書類名】明細書
【補正対象項目名】００１８
【補正方法】変更
【補正の内容】
【００１８】
また、例えば、請求項１２に記載されているように、前記所定の画像領域または前記追従画像領域に対してオートフォーカスを行なうオートフォーカス制御手段を備えるようにしてもよい。
【手続補正１５】
【補正対象書類名】明細書
【補正対象項目名】００１９
【補正方法】変更
【補正の内容】
【００１９】
上記目的達成のため、請求項１３記載の発明による撮像方法は、被写体像を光電変換する撮像素子を用いてフレーム画像を取得する撮像制御工程と、
前記撮像制御工程により順次取得されるフレーム画像を表示手段に順次表示さていく画像表示制御工程と、
前記画像表示制御工程により前記表示手段に表示された所定のフレーム画像に対して所定の画像領域を指定する領域指定工程と、
前記領域指定工程により指定された画像領域内の画像を注目画像として選択する注目画像選択工程と、
前記画像表示制御工程により所定の期間中に順次表示されるフレーム画像から、前記注目画像選択工程により選択された注目画像に対応する画像の領域を追従画像領域として検出していく追従画像検出工程と、
前記追従画像領域検出工程により検出される各追従画像領域の座標位置を時系列的に蓄積し、前記注目画像の移動履歴として記憶していく移動履歴記憶工程と、
前記撮像制御工程により取得されるフレーム画像を静止画像として所定の記録媒体に記録するとともに、前記移動履歴記憶工程により記憶された前記注目画像の移動履歴を該静止画象に関連付けて記録させる静止画像記録制御工程と、
前記記録媒体に記録された静止画像を前記注目画像の移動履歴に基づいて再生表示させる再生表示制御工程と、
を備えたことを特徴とする。
【手続補正１６】
【補正対象書類名】明細書
【補正対象項目名】００２０
【補正方法】変更
【補正の内容】
【００２０】
上記目的達成のため、請求項１４記載の発明による画像再生方法は、撮影時に動きのあった動被写体を含む撮影対象が撮影された静止画像を再生表示させる際に、当該静止画像と関連付けて記録されている、前記撮影対象が撮影されるまでの間の前記動被写体の移動履歴に基づいて、前記撮影時における前記動被写体の動きを表現させる。
【手続補正１７】
【補正対象書類名】明細書
【補正対象項目名】００２１
【補正方法】変更
【補正の内容】
【００２１】
上記目的達成のため、請求項１５記載の発明によるプログラムは、被写体像を光電変換する撮像素子を用いてフレーム画像を取得する撮像制御処理と、
前記撮像制御処理により順次取得されるフレーム画像を表示手段に順次表示させていく画像表示制御処理と、
前記画像表示制御処理により前記表示手段に表示された所定のフレーム画像に対して所定の画像領域を指定する領域指定処理と、
前記領域指定処理により指定された画像領域内の画像を注目画像として選択する注目画像選択処理と、
前記画像表示制御処理により所定の期間中に順次表示されるフレーム画像から、前記注目画像選択処理により選択された注目画像に対応する画像の領域を追従画像領域として検出していく追従画像検出処理と、
前記追従画像領域検出処理により検出される各追従画像領域の座標位置を時系列的に蓄積し、前記注目画像の移動履歴として記憶していく移動履歴記憶処理と、
前記撮像制御処理により取得されるフレーム画像を静止画像として所定の記録媒体に記録するとともに、前記移動履歴記憶処理により記憶された前記注目画像の移動履歴を該静止画象に関連付けて記録させる静止画像記録制御処理と、
前記記録媒体に記録された静止画像を前記注目画像の移動履歴に基づいて再生表示させる再生表示制御処理と、
をコンピュータに実行させることを特徴とする。
【手続補正１８】
【補正対象書類名】明細書
【補正対象項目名】００２２
【補正方法】変更
【補正の内容】
【００２２】
上記目的達成のため、請求項１６記載の発明によるプログラムは、コンピュータに、撮影時に動きのあった動被写体を含む撮影対象が撮影された静止画像を再生表示させる際に、当該静止画像と関連付けて記録されている、前記撮影対象が撮影されるまでの間の前記動被写体の移動履歴に基づいて、前記撮影時における前記動被写体の動きを表現させる。